(57)【要約】【課題】本発明は、簡略な構造でありながら短時間で、簡単、且つ、衛生的におむつの交換作業を行うことができる新規で斬新なおむつ交換支援具１を提供する。【解決手段】本発明のおむつ交換支援具１は、ベッド、布団等々の上面２上に配置する矩形状の敷体３と、この敷体３の一端側に取り付けた一端側に傾斜面４ａを有し敷体３上に位置する端縁部４ｂが弧状を呈する弾性体４と、この弾性体４上に該弾性体４より水平方向に突出する状態に取り付けた敷体３上方に位置する端縁部５ａが弧状で、且つ、端縁部中央部分に弧状凹部５ｂを有する当体５とにより側面略コ状に形成されたおむつ交換支援具１であって、一対構成のおむつ交換支援具１を被介護者の腰部両側下部に対向配置で挿入し腰部領域をベッド、布団等々の上面２から浮上可能としたことを特徴とするものである。【選択図】図４
2004194807.tif 000002
【特許請求の範囲】
【請求項１】
ベッド、布団等々の上面上に配置する敷体と、この敷体の一端側に取り付けた中間体と、この中間体上に該中間体より水平方向に突出する状態に取り付けた当体とにより側面略コ状に形成されたおむつ交換支援具であって、一対構成のおむつ交換支援具を被介護者の腰部両側下部に対向配置で挿入し腰部領域をベッド、布団等々の上面から浮上可能としたことを特徴とするおむつ交換支援具。
【請求項２】
ベッド、布団等々の上面上に配置する敷体と、この敷体の一端側に取り付けた弾性体と、この弾性体上に該弾性体より水平方向に突出する状態に取り付けた当体とにより側面略コ状に形成されたおむつ交換支援具であって、一対構成のおむつ交換支援具を被介護者の腰部両側下部に対向配置で挿入し腰部領域をベッド、布団等々の上面から浮上可能としたことを特徴とするおむつ交換支援具。
【請求項３】
ベッド、布団等々の上面上に配置する矩形状の敷体と、この敷体の一端側に取り付けた一端側に傾斜面を有し敷体上に位置する端縁部が弧状を呈する中間体又は弾性体と、この中間体又は弾性体上に該中間体又は弾性体より水平方向に突出する状態に取り付けた敷体上方に位置する端縁部が弧状で、且つ、端縁部中央部分に弧状凹部を有する当体とにより側面略コ状に形成されたおむつ交換支援具であって、一対構成のおむつ交換支援具を被介護者の腰部両側下部に対向配置で挿入し腰部領域をベッド、布団等々の上面から浮上可能としたことを特徴とするおむつ交換支援具。
【請求項４】
前記敷体のベッド、布団等々の上面に接する面には、滑り止め部材が設けられていることを特徴とする請求項１乃至３のいずれかに記載のおむつ交換支援具。
【発明の詳細な説明】
【発明の属する技術分野】
本発明は、おむつ交換支援具に関するものであり、詳しくは、短時間で、簡単、且つ、衛生的におむつの交換作業を行うことができる新規で斬新なおむつ交換支援具に関するものである。
【従来の技術】
近年の例えば高齢化社会の拡大につれ、介護が必要な老人の数は増加の一途をたどっている。介護現場において、寝たきりの高齢者等のおむつ交換を必要とする被介護者の数もまた増加の傾向にある。
このような寝たきりの高齢者等の被介護者等のおむつ交換作業の従来の一例を図１３乃至図１５を参照して説明する。
まず、寝たきりの高齢者等の被介護者等に既に取り付けられているおむつを取り外し、股間部等を清浄にした後、図１３に示すように、おむつ５１のしわをよく伸ばし、被介護者Ｍの腸骨部６１におむつ５１の上端を合わせ、且つ、左右の長さが均等になるようにして被介護者Ｍの腰下及び尻の下に敷設する。
次に、図１４に示すように、腹部を圧迫しないようにして下腹部でおむつ５１の股間片５２をまとめ、股関節の動きを妨げないようにゆとりをもって股間片５２を腹部に当てる。
次に、図１５に示すように、腹部等からおむつ５１の端縁がはみ出ないようにしておむつカバー５３によりおむつ５１を覆って交換作業を終了する。
【発明が解決しようとする課題】
しかしながら、このような寝たきりの高齢者等の被介護者等のおむつ５１の交換を行う介護者の労力、負担は非常に大きく、少しでもその労力、負担の軽減を図ることが緊急に要請されている。
同時に、おむつ５１の交換時においては、被介護者Ｍにとっても、体を各方向に動かさなくてはならないので、かなりの苦痛等を伴うことが多く、この面からも苦痛等の軽減を図ることが緊急に要請されている。
以上のような事情は、介護現場における寝たきりの高齢者等の被介護者等のおむつ交換の場合のみでなく、各種の障害等を持った被介護者Ｍ等においても全く同じことがいえる。
本発明は、上述した従来の切迫した実情に鑑み開発されたものであり、簡略な構造でありながら短時間で、簡単、且つ、衛生的におむつの交換作業を行うことができる新規で斬新なおむつ交換支援具を提供することを目的とする。
【課題を解決するための手段】
請求項１記載の発明は、ベッド、布団等々の上面上に配置する敷体と、この敷体の一端側に取り付けた中間体と、この中間体上に該中間体より水平方向に突出する状態に取り付けた当体とにより側面略コ状に形成されたおむつ交換支援具であって、一対構成のおむつ交換支援具を被介護者の腰部両側下部に対向配置で挿入し腰部領域をベッド、布団等々の上面から浮上可能としたことを特徴とするものである。
請求項２記載の発明は、ベッド、布団等々の上面上に配置する敷体と、この敷体の一端側に取り付けた弾性体と、この弾性体上に該弾性体より水平方向に突出する状態に取り付けた当体とにより側面略コ状に形成されたおむつ交換支援具であって、一対構成のおむつ交換支援具を被介護者の腰部両側下部に対向配置で挿入し腰部領域をベッド、布団等々の上面から浮上可能としたことを特徴とするものである。
請求項３記載の発明は、ベッド、布団等々の上面上に配置する矩形状の敷体と、この敷体の一端側に取り付けた一端側に傾斜面を有し敷体上に位置する端縁部が弧状を呈する中間体又は弾性体と、この中間体又は弾性体上に該中間体又は弾性体より水平方向に突出する状態に取り付けた敷体上方に位置する端縁部が弧状で、且つ、端縁部中央部分に弧状凹部を有する当体とにより側面略コ状に形成されたおむつ交換支援具であって、一対構成のおむつ交換支援具を被介護者の腰部両側下部に対向配置で挿入し腰部領域をベッド、布団等々の上面から浮上可能としたことを特徴とするものである。
請求項４記載の発明は、請求項１乃至３のいずれかに記載のおむつ交換支援具において、前記敷体のベッド、布団等々の上面に接する面には、滑り止め部材が設けられていることを特徴とするものである。
本発明によれば、前記敷体と、この敷体の一端側に取り付けた前記中間体又は弾性体と、この中間体又は弾性体上に取り付けた敷体上方に位置する前記当体とからなり、一対構成とした簡略な構造からなるおむつ交換支援具により、短時間で、簡単、且つ、衛生的に被介護者のおむつ交換作業を行うことができ、おむつの交換作業の迅速化、省力化を図り介護者の負担及び被介護者の苦痛等を大幅に軽減することができる。
また、前記敷体の底面に滑り止め部材を取り付けた構成とすることにより、ベッド、布団等々の上面が滑り易い素材からなる場合でも滑り止め部材の滑り止め作用により既述したおむつ交換支援具の作用を支障なく発揮させることができる。
【発明の実施の形態】
以下、本発明のおむつ交換支援具の実施の形態を説明する
図１乃至図３は本実施の形態のおむつ交換支援具１を示すものである。
このおむつ交換支援具１は、ベッド、布団等々々の上面２上に配置する例えば矩形状の間伐材等からなる敷体３と、この敷体３の一端側に取り付けた一端側に傾斜面４ａを有し敷体３上に位置する端縁部４ｂが弧状を呈する例えばウレタン材、ゴム材等からなる弾性体４と、この弾性体４上に該弾性体４より水平方向に突出する状態に取り付けた敷体３上方に位置する端縁部５ａが弧状で、且つ、端縁部中央部分に弧状凹部５ｂを有する例えば間伐材等からなる当体５と、により構成されていて、全体として側面略コ状に形成している。
そして、おむつ交換支援具１は、図４に示すように、対向配置の一対構成で用いるようになっている。
本発明のおむつ交換支援具１においては、前記弾性体４の部分を、必ずしも図示し説明するような弾性体で構成する必要はなく、当該部分を弾性材以外の部材、例えば、空気層材、硬材等で構成しこれを中間体４Ａとして構成しても良い。
前記傾斜面４ａの傾斜角度は、図３に示すように、例えば２０度程度に設定している。また、前記弾性体４の高さ（厚さ）ｈは、例えば４０ｍｍ程度に設定している。
次に、図５乃至図１１を参照して、前記おむつ交換支援具１を使用し、寝たきりの高齢者等のおむつ交換を必要とする被介護者Ｍに対するおむつ交換を行う作業について詳述する。
まず、図５に示すように、介護者は、既に使用されたおむつ１０Ａを着用しているベッド、布団等々の上面２上の被介護者Ｍに対して、一対構成のおむつ交換支援具１をこの被介護者Ｍの腰部両側下部に対向配置で挿入し、一対構成のおむつ交換支援具１によって被介護者Ｍの腰部領域をベッド、布団等々の上面２上で少し浮上させる。
次に、図６に示すように、新たなおむつ１０を、被介護者Ｍの腰部の下側に位置する一対構成のおむつ交換支援具１における一対の弾性体４により形成される空間、隙間間に挿入し、一対の弾性体４の図７に示すように、おむつ１０の巻付部１０ａ、１０ａを弧状を呈する一対の端縁部４ｂ、４ｂに沿って引き上げ、一対構成のおむつ交換支援具１に対して左右均等配置となるように位置合わせをする。
この場合、おむつ交換支援具１自体が位置合わせの指標的役割を果たすために、従来のように目分量により位置合わせを行う場合と比較し、新たなおむつ１０の被介護者Ｍに対する位置決めを正確に行うことができる。
次に、図８に示すように、使用済みのおむつ１０Ａを着用している被介護者Ｍに対して前記おむつ１０Ａの取り外しを行う。
すなわち、使用済みおむつ１０Ａの巻付部１０ａ、１０ａを面ファスナー等の外し作業により開き、更に、介護者は、おむつ１０Ａの被介護者Ｍの尻部の下側に位置する部分を指で一対の弾性体４により形成される空間、隙間間に押し入れ、この状態で、被介護者Ｍの股間部等を清浄化した後、図９に示すように、被介護者Ｍの足側から手のひらを上にして使用済みのおむつ１０Ａの股間片１０ｂ、巻付部１０ａ、１０ａを引き出す。
次に、図１０に示すように、一対構成のおむつ交換支援具１のみを被介護者Ｍの腰部領域から取り外し、被介護者Ｍの腰部領域を新たなおむつ１０上に位置させる。
次に、図１１に示すように、新たなおむつ１０を被介護者Ｍの股間部、腰部領域に取り付けて一連の交換作業を完了する。
本実施の形態に係るおむつ交換支援具１によれば、以下のような効果を奏する。
すなわち、一対構成のおむつ交換支援具１を使用することにより、被介護者Ｍは何回も体を左右に反転する等の苦痛を伴うことなく、おむつ交換を楽にしてもらうことができる。
また、一対構成のおむつ交換支援具１を使用することにより、迅速におむつ交換が済むため、特に女性等の羞恥心を和らげることができる。
更に、一対構成のおむつ交換支援具１を使用することにより、介護者にとっても、新たなおむつ１０の被介護者Ｍに対する位置合わせが容易であり、新たなおむつ１０の交換作業の迅速化、省力化を図ることができ、負担が大幅に軽減される。
また、おむつ交換に際して、一対構成のおむつ交換支援具１を使用することにより、使用されたおむつ１０Ａを外す際に、常に新しいおむつ１０がおむつ１０Ａの下側にあるので、使用されたおむつ１０Ａを外した際に生じることもある失禁にも対応でき、シーツ等を汚す事態を回避できる。
更に、介護者が新しいおむつ１０を挿入する際に使用されたおむつ１０Ａが常にその上部に位置するので、介護者の手の汚れも回避できる。
図１２は、本実施の形態の一対構成のおむつ交換支援具１の変形例を示すものであり、敷体３のベッド、布団等々の上面上に接する面に、ゴム板等からなる滑り止め部材６を例えば４箇所に亙って取り付けたことが特徴である。
この構成により、ベッド、布団等々の上面２が滑り易い素材からなる場合でも、滑り止め部材６の滑り止め作用により、既述したおむつ交換支援具１の作用を支障なく発揮させることができる。
【発明の効果】
以上詳述した本発明によれば、簡略な構造からなる一対構成のおむつ交換支援具により、短時間で、簡単、且つ、衛生的に被介護者のおむつ交換作業を行うことができ、おむつの交換作業の迅速化、省力化を図り、介護者の負担及び被介護者の苦痛等を大幅に軽減することができる新規で斬新なおむつ交換支援具を提供することかできる。
また、本発明によれば、敷体の底面に滑り止め部材を付加した構成とすることで、ベッド、布団等々の上面が滑り易い素材からなる場合にも、支障なく対応できるおむつ交換支援具を提供することかできる。
【図面の簡単な説明】
【図１】本発明の実施の形態のおむつ交換支援具の正面図である。
【図２】本発明の実施の形態のおむつ交換支援具の平面図である。
【図３】本発明の実施の形態のおむつ交換支援具の側面図である。
【図４】本発明の実施の形態のおむつ交換支援具の使用状態の斜視図である。
【図５】本発明の実施の形態のおむつ交換作業におけるおむつ交換支援具の被看護者に対する使用状態を示す概略斜視図である。
【図６】本発明の実施の形態のおむつ交換作業における新しいおむつの挿入状態を示す概略斜視図である。
【図７】本発明の実施の形態のおむつ交換作業における新しいおむつのおむつ交換支援具に対する位置決め状態を示す概略斜視図である。
【図８】本発明の実施の形態のおむつ交換作業における使用されたおむつの外し状態を示す概略斜視図である。
【図９】本発明の実施の形態のおむつ交換作業における使用されたおむつの引き出し状態を示す概略斜視図である。
【図１０】本発明の実施の形態のおむつ交換作業におけるおむつ交換支援具の外し状態を示す概略斜視図である。
【図１１】本発明の実施の形態のおむつ交換作業における新しいおむつの取り付け状態を示す概略斜視図である。
【図１２】本発明の実施の形態のおむつ交換支援具の変形例を示す底面図である。
【図１３】従来のおむつ交換作業のおむつ装用開始状態を示す概略斜視図である。
【図１４】従来のおむつ交換作業のおむつ装用途中状態を示す概略斜視図である。
【図１５】従来のおむつ交換作業のおむつ装用途中状態を示す概略斜視図である。
【符号の説明】
１    おむつ交換支援具
２    ベッド、布団等々の上面
３    敷体
４    弾性体
４Ａ  中間体
４ａ  傾斜面
４ｂ  端縁部
５    当体
５ａ  端縁部
５ｂ  弧状凹部
６    滑り止め部材
１０    おむつ
１０Ａ  おむつ
１０ａ  巻付部
１０ａ  巻付部
１０ｂ  股間片
Ｍ    被介護者
【図１】
2004194807.tif 000003
【図２】
2004194807.tif 000004
【図３】
2004194807.tif 000005
【図４】
2004194807.tif 000006
【図５】
2004194807.tif 000007
【図６】
2004194807.tif 000008
【図７】
2004194807.tif 000009
【図８】
2004194807.tif 000010
【図９】
2004194807.tif 000011
【図１０】
2004194807.tif 000012
【図１１】
2004194807.tif 000013
【図１２】
2004194807.tif 000014
【図１３】
2004194807.tif 000015
【図１４】
2004194807.tif 000016
【図１５】
2004194807.tif 000017